(57)【要約】  本発明は非対称的であるパンティ部分を含むパンティストッキングを提供する。該パンティストッキングはより大きいサイズの人および妊婦を含む様々な異なるサイズの人に快適なフィットを提供する。【選択図】  図１
2013518995.tif 000002
【特許請求の範囲】
【請求項１】
（ａ）上端の右側パンティ部分と反対側先端の右側爪先部分とを含む右足部分、および（ｂ）上端の左側パンティ部分と反対側先端の左側爪先部分とを含む左足部分、
を有するパンティストッキングを備える製品であって、
前記右足部分と前記左足部分がそれぞれ筒状物を形成し、
前記右側パンティ部分が腹部と尻部をもち、
前記左側パンティ部分が腹部と尻部をもち、そして
前記右側パンティ部分の前記腹部および前記左側パンティ部分の前記腹部が、それぞれ、前記右側パンティ部分の前記尻部および前記左側パンティ部分の前記尻部、と異なる布地構造をもつ、
パンティストッキング、を備える製品。
【請求項２】
パンティ部分が始まる、右足部分と左足部分の間に配置された股のはぎ布を更に有する、請求項１記載の製品。
【請求項３】
パンティストッキングが更に、パンティ部分の上端に単層の布地であるウエストバンドを有する、請求項１記載の製品。
【請求項４】
左側パンティ部分と右側パンティ部分とが透明な糸を含む、請求項１記載の製品。
【請求項５】
左足部分と右足部分とが、前記左側パンティ部分と前記右側のパンティ部分における糸と同一デニールまたはそれより太いデニールをもつ糸を含む、請求項１記載の製品。
【請求項６】
左足部分と右足部分とが、透明、半透明および不透明よりなる群から選択される構造をもつ、請求項１記載の製品。
【請求項７】
パンティストッキングが、ポリアミドで被覆されたスパンデックス糸、およびポリアミド糸とのポリアミドで被覆されたスパンデックス糸とのブレンド、から選択される糸を含む、請求項１記載の製品。
【請求項８】
右足部分と左足部分とがそれぞれ、上部のもも部分を含んでなり、そして前記上部のもも部分が強化糸を含む、請求項１記載の製品。
【請求項９】
請求項１記載の製品
【請求項１０】
（ａ）右側パンティ部分を含む右足部分を編み、
（ｂ）左側パンティ部分を含む左足部分を別に編み、そして
（ｃ）前記右足部分と前記左足部分とを取り付ける工程、
を備えるパンティストッキングを調製する方法であって、
前記右足部分と前記左足部分がそれぞれ、筒状物を形成し、
前記右側パンティ部分が腹部と尻部とをもち、
前部左側パンティ部分が腹部と尻部とをもち、そして
前記右側パンティ部分の前記腹部および前記左側パンティ部分の前記腹部が、それぞれ、前記右側パンティ部分の前記尻部および前記左側のパンティ部分の前記尻部、と異なる布地構造をもつ、
パンティストッキングを調製する方法。
【請求項１１】
取り付ける工程が縫製により実施される、請求項１０記載の方法。
【発明の詳細な説明】
【技術分野】
【０００１】
発明の背景
発明の分野
腹部と尻部が異なるディメンションをもつパンティを含むように編まれている、プラスサイズおよび妊婦に対するような大型サイズ範囲に適したパンティストッキングが開示される。
【０００２】
関連技術の説明
プラスサイズは大型の個体（例えば、サイズ１４を超える女性およびサイズＸＬを超える男性）を標的とされた衣料の総称である。米国において、全消費者の３０％超がプラスサイズとして特徴付けられることができ、それは毎年２％の速度で増加している。同様に、欧州では、サイズ１４を超える４７％の女性人口を有する英国を先頭に、次にドイツの２９％を第２として、平均２３％の、プラスサイズと特徴付けられる消費者が存在する。このサイズ群は中国およびブラジルのような発展途上国で毎年約５％の速度で急速に増加している。
【０００３】
プラスサイズの女性は許容でき得るストッキング類、すなわちパンティストッキングがなかなか見つからない。近年入手できるストッキング類はしばしば、組み込みはぎ布を伴い魅力的でなく、そして／または着用者に不快感を引き起こす。その結果、このサイズ領域の多数の女性はパンティストッキングを着用するよりむしろパンツ／ズボンを着用することを選ぶ。
【発明の概要】
【０００４】
発明の要約
幾つかの態様のパンティストッキングは、近年入手できるプラスサイズのパンティストッキングの、魅力的でなく、不快な特徴に対する解決策を提供する。幾つかの態様のパンティストッキングは、縫い合わせると、尻部のパンティ部分と異なる布地構造のパンティストッキングの腹部のパンティ部分を与える、非対称的筒状物を形成するために、別々の足の部分を編むことにより余分のはぎ布の必要を回避する。これはより大きい尻部分、または妊娠している場合はより大きい腹部をもつ可能性がある異なった形状をもつ女性に着用され得るパンティストッキングを与える。
【０００５】
一つの態様は、
（ａ）上端の右側パンティ部分と反対の先端の右側爪先部分とを含む右足部分、および
（ｂ）上端の左側パンティ部分と反対の先端の左側爪先部分とを含む左足部分：
を有するパンティストッキングを備える製品であって、
右足部分と左足部分がそれぞれ、非対称的筒状物を形成し、
右側パンティ部分が腹部と尻部を有し、
左側パンティ部分が腹部と尻部を有し、そして
右側パンティ部分の腹部および左側パンティ部分の腹部が、それぞれ、右側パンティ部分の前記尻部および左側パンティ部分の尻部と異なる布地構造をもつ、
パンティストッキングを備える製品である。
【０００６】
その他の態様は、
（ａ）右側パンティ部分を含む右足部分を編み、
（ｂ）左側パンティ部分を含む左足部分を別に編み、そして
（ｃ）右足部分と左足部分を取り付ける：
工程を備える、パンティストッキングを調製する方法であって、
右足部分と左足部分がそれぞれ、筒状物を形成し、
右側パンティ部分が腹部と尻部をもち、
左側パンティ部分が腹部と尻部をもち、そして
右側のパンティ部分の腹部および左側のパンティ部分の腹部がそれぞれ、前記右側のパンティ部分の尻部および左側のパンティ部分の尻部とそれぞれ異なる布地構造をもつ、
パンティストッキングを調製する方法である。
【図面の簡単な説明】
【０００７】
図面の簡単な説明
【図１】図１はパンティストッキング製品の構成部分を示す。
【図２】図２は完成パンティストッキング製品を示す。
【０００８】
発明の詳細な説明
本明細書で使用される用語「スパンデックス」は、その中のフィラメント形成物質が少なくとも８５重量％のセグメントポリウレタンからなる長鎖合成重合体である人造フィラメントを意味する。様々な異なるスパンデックス組成物が、なかでもポリエーテルとコーポリエーテル基材のスパンデックスのような、幾つかの態様のパンティストッキングとともに有用である。市販のスパンデックス糸の特定の例は、Ｗｉｃｈｉｔａ，ＫＳのＩＮＶＩＳＴＡ  Ｓ．ａｒ．ｌ．から商品名ＬＹＣＲＡ（登録商標）  １６２ＢとＬＹＣＲＡ（登録商標）  ９０２Ｃとして入手できるものを含む。
【０００９】
足の筒状物、または筒状物のパンティ部分、またはパンティストッキングのパンティ部分、に適用される場合の本明細書で使用される用語「非対称的」は、各パンティの腹部と尻部を提供するために異なる布地構造が使用されることを意味する。
【００１０】
幾つかの態様のパンティストッキング製品は、取り付けられて完成パンティストッキングを形成する二つの別々の筒状物から編まれる。二つの筒状物は縫う工程によるような、あらゆる適当な方法で取り付けることができる。図１における取り付け地点は腹部（１８Ａ，１８Ｂ）と尻部（１６Ａ，１６Ｂ）に示され、完成パンティストッキング製品に対しては図２に示される縫い目（１６，１８）に対応する。
【００１１】
図１において、右足部分２Ａと左側部分２Ｂに対応する非対称的筒状物が示されている。右足部分２Ａは上端の右側パンティ部分４Ａと反対の先端の右側爪先部分２２Ａとを含み、そして左足部分２Ｂは上端の左側パンティ部分４Ｂと反対の先端の左側爪先部分２２Ｂとを含む。右側パンティ部分４Ａは腹部８Ａと尻部１０Ａとをもち、そして左側パンティ部分４Ｂは腹部８Ｂと尻部１０Ｂをもつ。腹部（８Ａ，８Ｂ）と尻部（１０Ａ，１０Ｂ）は、それらが、更なるあて布の必要を回避する異なる糸／布地構造のために異なる圧縮領域をもつので、非対称的部分を区画する。非対称的により、それは、図示されるように中央線（２０Ａ，２０Ｂ）のいずれかの側で腹部（８Ａ，８Ｂ）が異なる布地構造をもつか、あるいは尻部（１０Ａ，１０Ｂ）と同一ではないことを意味する。中央線（２０Ａ，２０Ｂ）は、別な場合には対称線を表すと思われる非対称的筒状物の腹部と尻部間の目に見えない線を表す。これはプラスサイズのパンティストッキングに対して、腹部（８Ａ，８Ｂ）より低い圧縮を提供する糸の尻部（１０Ａ，１０Ｂ）をもつことにより、または妊婦用パンティストッキングに対しては、腹部（８Ａ，８Ｂ）に、より低い圧縮をもつことにより達成される。
【００１２】
パンティストッキングのウエストバンド（６Ａ，６Ｂ）はあらゆる適当な構造を含むこ
とができる。ウエストバンドの巻き込みを防止または低下させるために、それは折り返されたウエストバンド以外の構造を含むことができ、また単層の布地を含むことができる。ウエストバンドの折り返しを更に減少させるために、パンティ部分（４Ａ，４Ｂ）を、着用者（図示されていない）のウエストより上方に延伸するようにさせることができる。
【００１３】
パンティストッキングは硬い糸と、弾性糸またはエラストマー糸とのあらゆる適当な組み合わせ物を含むことができる。エラストマー糸は各横目または交互の横目に含まれることができる（柄入りストッキングが所望される場合はその他の構造が有用であることができる）。一つの適当なエラストマー糸は、裸でまたは被覆されて使用することができるスパンデックスである。硬い糸の例は、ナイロン６、ナイロン６／６、ナイロン１０、ナイロン１２、ナイロン６／１０、ナイロン６／１２およびそれらの組み合わせ物のようなポリアミド糸を含む。硬い糸はフラットヤーンでも捲縮嵩高糸でもよい。パンティストッキングはポリアミド被覆スパンデックス糸および、ポリアミド糸とのポリアミド被覆スパンデックス糸のブレンド、から選択される糸を含むことができる。
【００１４】
着用者の快適さを更に高めるために、ストッキングのパンティ部分は透明な糸を含むだけにすることができ、このため低減された圧縮を有することができる。圧縮の低減または回避は、透明な糸、またはより軽いデニールの糸の使用により達成され、また更にパンティ部分中のスパンデックス繊維含量の減少により達成することができる。パンティの腹部と尻部は、腹部と尻部間、あるいはまた腹部または尻部の一部のいずれかにおける圧縮を変える、異なる糸を含むことができる。例えば、股部分１２に最も近いパンティの部分（４Ａ，４Ｂ）の底部の糸は、ウエストバンド６に近い糸より弱い圧縮を提供することができる。糸／布地の構造は所望される圧縮効果に応じて変わることができる。上部の列（１３Ａ，１３Ｂ−図１に示される）（ウエストバンド６に最も近い）は、パンティ部分の腹部（８Ａ，８Ｂ）またはパンティ部分の尻部（１０Ａ，１０Ｂ）のいずれかに対する下部の列（１１Ａ，１１Ｂ−図２に示される）（股部分１２に最も近い）と異なる糸をもつことができる。これはパンティ部分の上部の列の約７０％〜８５％を含む、上部の列の約５０％〜約９０％であることができる。下部の列（１１Ａ，１１Ｂ−図２に示される）は場合により、より高いデニールをもつ糸を含むか、またはより重い重量の生地を提供して、パンティストッキングのその部分に更なる支持を与えることができる。
【００１５】
適当な量のスパンデックス繊維は、全糸重量の、約１２％〜約２６％、および約１５％〜約２２％を含む、約１０％〜約３０％であることができる。
【００１６】
更なる快適さを与えるために、左足部分と右足部分は、左側パンティ部分と右側パンティ部分の糸と同一デニールまたはそれより重いデニールをもつ糸を含むことができる。それに対して、足の部分（左と右）は透明、半透明および不透明よりなる群から選択される構造をもつことができる。着用中の快適さを更に高め、苦痛を緩和するために、右足部分と左足部分はそれぞれ、強化糸を含む上部のもも部分１４を含むことができる。
【００１７】
本発明の特徴物と利点は以下の実施列により更に完全に示され、それらの実施列は具体化の目的で提供され、またどんな方法でも本発明を限定するものと解釈してはならない。
【実施例】
【００１８】
実施例
幾つかの態様のパンティストッキングを、標準の４フィードシステムを使用して、４００本の針、３２ゲージをもつ、ストッキング編み機のようなあらゆる適当なストッキング機を使用して調製する。
【００１９】
繊維含有量と構造の例は以下を含む：
透明な生地：
・スパンデックス％＝２６％
・ポリアミド％＝７４％
・パンティ糸＝１６フィラメント／１０ｄＴｅｘの捲縮嵩高ポリアミド糸と交互の横目の１８フィラメント／６ｄＴｅｘ捲縮嵩高ポリアミド糸で被覆された４５ｄＴｅｘのスパンデックス繊維
・足の糸＝３３フィラメント／２０ｄＴｅｘのフラットポリアミドヤーンと交互の横目の１８フィラメント／６ｄＴｅｘ捲縮嵩高ポリアミド糸で被覆された４５ｄＴｅｘのスパンデックス繊維
【００２０】
半透明の生地：
・スパンデックス％＝２２％
・ポリアミド％＝７８％
・パンティの糸＝１６フィラメント／１０ｄＴｅｘ捲縮嵩高ポリアミド糸と交互の横目の１８フィラメント／６ｄＴｅｘ捲縮嵩高ポリアミド糸で被覆された４５ｄＴｅｘのスパンデックス繊維
・足の糸＝４４フィラメント／３４ｄＴｅｘ捲縮嵩高ポリアミド糸と交互の横目の１８フィラメント／６ｄＴｅｘ捲縮嵩高ポリアミド糸で被覆された４５ｄＴｅｘのスパンデックス繊維
【００２１】
不透明の生地：
・スパンデックス％＝１２％
・ポリアミド％＝８８％
・パンティの糸＝１６フィラメント／１０ｄＴｅｘ捲縮嵩高ポリアミド糸と交互の横目の１８フィラメント／６ｄＴｅｘ捲縮嵩高ポリアミド糸で被覆された４５ｄＴｅｘのスパンデックス繊維
・足の糸＝３３フィラメント／２０ｄＴｅｘ捲縮嵩高ポリアミド糸と交互の横目の３３フィラメント／２０ｄＴｅｘ捲縮嵩高ポリアミド糸で添え糸編みされた（フィード２、４）１８フィラメント／６ｄＴｅｘ捲縮嵩高ポリアミド糸（フィード１、３）で被覆された４５ｄＴｅｘのスパンデックス繊維。
【００２２】
パンティ部分は尻部パンティ部分の列の下部１５％に以下の糸を使用することにより改良された：
２２フィラメント／７ｄＴｅｘフラットヤーン（フィード１、３）で添え糸編みされた、１８フィラメント／６ｄＴｅｘフラットヤーンで被覆されたスパンデックス繊維。
【００２３】
現在、本発明の好適な態様であると信じられるものが説明されてきたが、当業者は、本発明の精神から逸脱せずに、それらに変更および修正を実施することができ、また本発明の真の精神内に入るすべてのこれらの変更および修正物を含むことが意図されることを認識するであろう。
【図１】
2013518995.tif 000003
【図２】
2013518995.tif 000004
【国際調査報告】
2013518995.tif 000005
2013518995.tif 000006
2013518995.tif 000007